(57)【特許請求の範囲】
【請求項１】
自動販売機の内部室を冷却する駆動部等を備えた室外ユニットを有し、室外ユニットには前方に凝縮器、後方に圧縮機を配置し、前記凝縮器と前記圧縮機の間に前記室外ユニット内を通風する冷却ファンと前記凝縮器と前記圧縮機の側部に設けた蒸発皿とを備え、前記凝縮器と前記圧縮機を前後方向に仕切り、前記冷却ファンの空気を結露水を貯留する蒸発皿に導くようにガイドしたエアガイドを備え、前記エアガイドにより前記冷却ファンの空気は、前記凝縮器から前記蒸発皿へと導かれることで前記蒸発皿での蒸発能力が高まるとともに、前記圧縮機には前記冷却ファンの空気を前記エアガイドにより直接当てないように制限して、圧縮機の過冷却を防止したことを特徴とする自動販売機。
【請求項２】
結露水を吸い上げるろ紙を前記蒸発皿の上方に立てて前記凝縮器を通過した外気を当てることを特徴とする請求項１に記載の自動販売機。
【請求項３】
自動販売機の内部室を冷却する冷却ユニットにＨＣ冷媒を使用し、前記エアガイドの前記蒸発皿と反対側の位置に通気孔を設け、前記通気孔の高さを前記蒸発皿よりも低くしたことを特徴とする請求項１または２に記載の自動販売機。
【請求項４】
前記蒸発皿の底部にヒータを設けたことを特徴とする請求項１から３のいずれか一項に記載の自動販売機。
【請求項５】
自動販売機の内部室を冷却する駆動部等を備えた室外ユニットを有し、室外ユニットには前方に凝縮器、後方に圧縮機を配置し、前記凝縮器と前記圧縮機の間に前記室外ユニット内を通風する冷却ファンを備え、前記凝縮器と前記圧縮機を前後方向に仕切り、前記冷却ファンの空気を結露水を貯留する蒸発皿に導くようにガイドしたエアガイドを備えたもので、さらに、ホット／コールド切替室内に設置された室内熱交換器と、商品を収納する区画の外に設置された室外熱交換器と、膨張機構であるホット／コールド切替室用膨張機構と、ホット／コールド切替室用圧縮機と、前記ホット／コールド切替室用圧縮機と前記室内熱交換器と前記ホット／コールド切替室用膨張機構と前記室外熱交換器とを環状に接続してなる冷却加温システムを有し、前記室外熱交換器と前記凝縮器を一体型熱交換器で構成するとともに、前記一体型熱交換器を通過した外気を前記蒸発皿に向けて案内するエア
ガイドを設けたことを特徴とする自動販売機。
【発明の詳細な説明】
【技術分野】
【０００１】
本発明は、缶飲料などの商品を加温あるいは冷却して販売する自動販売機において、機械室に設けた庫内の結露水を貯留蒸発させる蒸発皿の蒸発作用を促進させた自動販売機に関するものである。
【背景技術】
【０００２】
近年、この種の自動販売機は機械室に配置された冷却ファンからの風の一部を蒸発皿へ導くエアガイドを設け、蒸発皿での蒸発作用を促進させたものが提案されている（特許文献１参照）。
【０００３】
図８は、従来の自動販売機のドレン処理装置及び凝縮ユニットの平面図である。
【０００４】
図８に示すように、凝縮ユニット１は商品収納室に設置される図示しない冷却ユニットと共に冷凍装置を構成しており、自動販売機の本体ケースの下部かつ商品収納室の下方に、前面板に通気孔を設けた機械室を区画形成し、ここに設置される。凝縮ユニット１は機械室底板に固定された基台２上に通気孔に面して凝縮器３、次いで後方へ一列に凝縮器冷却用ファン４、圧縮機５、排気ファン６が配設される。ドレン処理装置７は凝縮ユニット１の傍に設置され、前記機械室の底板に固定される置台８に載せて設置されるドレン皿９を備える。ドレン皿９に商品収納室で発生したドレンを案内するドレンパイプ１０が接続され皿内に開口する。また凝縮器３と圧縮機５とを結ぶ冷媒配管の一部を引き出しコイル状に形成される蒸発パイプ１１が設置され、かつこの蒸発パイプ１１に絡ませるように蒸発マット１２が設けられる。また、エアガイド１３はファン４吐出側に設けられており、凝縮器３の上部を通り送り出される外気をドレン処理装置７に向けて案内する２枚のガイド部１３ａを有し、かつ取付部１３ｂを介して凝縮器３の上端面上に固定される。
【０００５】
以上のように構成された自動販売機について、以下その動作を説明する。
【０００６】
まず、冷却用ファン４によって機械室前面の通気孔から取り入れられた外気は、凝縮器３を冷却し更にその下半分を通り送り出された外気が圧縮機５を洗流冷却し排気ファン６によって排出される。そして凝縮器３の上半分を通り送り出された外気はエアガイド１３によってドレン処理装置７に向けて案内され、かつ２枚のガイド部１３ａによって、蒸発マット１２及び蒸発パイプ１１をその全長に亘って吹き抜け排気ファン６によって排出される。ドレン皿９に捕集されたドレンが蒸発パイプ１１により加熱されドレン皿９及び蒸発マット１２から蒸発するとともにこの蒸気はドレン皿９上方や蒸発マット１２周囲に淀むことなくエアガイド１３に案内される外気によって吹き払われ排出される。従ってドレン皿９及び蒸発マット１２からのドレンの蒸発が継続して活発に行われ多量のドレンが蒸発処理される。尚、圧縮機５は凝縮器３に比べ略半分の高さであり凝縮器３の下半分を通り送り出された外気によって冷却される。
【特許文献１】特開平７−５７１３９号公報
【発明の開示】
【発明が解決しようとする課題】
【０００７】
しかしながら、上記従来の構成では、ファンからの風の全風量ではなく風の一部を蒸発皿へと導いているため、高湿度，高外気温時等の大量に結露水が発生する場合には、蒸発皿での蒸発促進作用が不足する。さらに、圧縮機がファンからの風により、常時、冷却されることになるので、特に低外気温では圧縮機のシェル温度が異常に下がり、効率が低下してしまうという課題を有していた。
【０００８】
一般に、自動販売機の圧縮機には、Ｒ４０７Ｃ冷媒用ロータリー圧縮機が使用されて来たが、地球環境に優しいＨＣ冷媒への転換が求められている。ところが、特に、効率が高く冷蔵庫用途に量産されているＲ６００ａ冷媒用レシプロ圧縮機を用いた場合、Ｒ６００ａの熱物性上、吐出温度が低くなる。また、コンプ効率が高いので排熱が少ない。前記理由から、吐出温度があまり上昇せず、蒸発皿内に設けた蒸発パイプの温度が低くなるので、蒸発皿の蒸発性能が著しく低下するという課題を有していた。
【０００９】
一方、従来のＲ４０７Ｃ冷媒用ロータリー圧縮機は、高圧シェル構造のため、圧縮機シェル温度、吐出温度が上昇し、蒸発皿の蒸発性能が高くなるが、圧縮機シェル内の潤滑油、モータ材料等の有機材料の劣化が促進されやすくなり、信頼性が低下する。そこで、圧縮機シェル温度を下げるため、圧縮機をファンで空冷する必要が有り、凝縮器の下半分を通過する風を圧縮機に導いている。
【００１０】
本発明は、上記従来の課題を解決するもので、ドレンの蒸発を促進させると共に、ファンからの風を圧縮機に当てないようにした自動販売機を提供することを目的とする。
【課題を解決するための手段】
【００１１】
上記従来の課題を解決するために、本発明の自動販売機は、自動販売機の内部室を冷却する駆動部等を備えた室外ユニットを有し、室外ユニットには前方に凝縮器、後方に圧縮機を配置し、前記凝縮器と前記圧縮機の間に前記室外ユニット内を通風する冷却ファンと前記凝縮器と前記圧縮機の側部に設けた蒸発皿とを備え、前記凝縮器と前記圧縮機を前後方向に仕切り、前記冷却ファンの空気を結露水を貯留する蒸発皿に導くようにガイドしたエアガイドを備え、前記エアガイドにより前記冷却ファンの空気は、前記凝縮器から前記蒸発皿へと導かれることで前記蒸発皿での蒸発能力が高まるとともに、前記圧縮機には前記冷却ファンの空気を前記エアガイドにより直接当てないように制限して、圧縮機の過冷却を防止したものである。
【００１２】
これによって、冷却ファンからの風の一部ではなく全風量を蒸発皿へと導き、蒸発をより一層促進させると共に、コールド室用圧縮機に冷却ファンからの風が当たらないようにして、冷やし過ぎによる効率低下を防止する。
【発明の効果】
【００１３】
本発明の自動販売機は、凝縮器を通過した外気を蒸発皿に向けて案内し、かつ、コールド室用圧縮機の衝立となるエアガイドを備えているので、蒸発をより一層促進させると共に、コールド室用圧縮機の冷やし過ぎによる効率低下を防止できる。
【発明を実施するための最良の形態】
【００１４】
請求項１に記載の発明は、自動販売機の内部室を冷却する駆動部等を備えた室外ユニットを有し、室外ユニットには前方に凝縮器、後方に圧縮機を配置し、前記凝縮器と前記圧縮機の間に前記室外ユニット内を通風する冷却ファンと前記凝縮器と前記圧縮機の側部に設けた蒸発皿とを備え、前記凝縮器と前記圧縮機を前後方向に仕切り、前記冷却ファンの空気を結露水を貯留する蒸発皿に導くようにガイドしたエアガイドを備え、前記エアガイドにより前記冷却ファンの空気は、前記凝縮器から前記蒸発皿へと導かれることで前記蒸発皿での蒸発能力が高まるとともに、前記圧縮機には前記冷却ファンの空気を前記エアガイドにより直接当てないように制限して、圧縮機の過冷却を防止したことにより、前記凝縮器を通過した外気を前記蒸発皿に向けて案内し、かつ、前記圧縮機の衝立となる前記エアガイドを備えているので、結露水の蒸発をより一層促進させると共に、前記圧縮機の冷やし過ぎによる効率低下を防止できる。
【００１５】
請求項２に記載の発明は、請求項１に記載の発明において、結露水を吸い上げるろ紙を前記蒸発皿の上方に立てて前記凝縮器を通過した外気を当てることにより、結露水を蒸発させるろ紙の面積が大きくなるので、蒸発作用をより一層促進させることができる。
【００１６】
請求項３に記載の発明は、請求項１または２に記載の発明において、自動販売機の内部室を冷却する冷却ユニットにＨＣ冷媒を使用し、前記エアガイドの前記蒸発皿と反対側の位置に通気孔を設け、前記通気孔の高さを前記蒸発皿よりも低くしたことにより、空気よりも重いＨＣ冷媒は、機械室の底部に溜まるので、風の一部をＨＣ冷媒の拡散に利用することで、漏洩等によりＨＣ冷媒機械室に滞留するのを未然に防止できる。また、エアガイドの通気孔から吹出される風は、エアガイドで案内される風の内、ろ紙の高さよりも低い位置にて案内される風であり、ろ紙に直接当たる風ではないので、前記風の一部を流用しても、ろ紙による蒸発促進作用を著しく低下させることはない。
【００１７】
請求項４に記載の発明は、請求項１から３のいずれか一項に記載の発明において、前記蒸発皿の底部にヒータを設けることにより、大量の結露水が発生すると予測される高湿度，高外気温時にヒータに通電し、蒸発皿での結露水の蒸発促進能力を増大させるので、結露水が溢れるのを防止することができる。
【００１８】
請求項５に記載の発明は、自動販売機の内部室を冷却する駆動部等を備えた室外ユニットを有し、室外ユニットには前方に凝縮器、後方に圧縮機を配置し、前記凝縮器と前記圧縮機の間に前記室外ユニット内を通風する冷却ファンを備え、前記凝縮器と前記圧縮機を前後方向に仕切り、前記冷却ファンの空気を結露水を貯留する蒸発皿に導くようにガイドしたエアガイドを備えたもので、さらに、ホット／コールド切替室内に設置された室内熱交換器と、商品を収納する区画の外に設置された室外熱交換器と、膨張機構であるホット／コールド切替室用膨張機構と、ホット／コールド切替室用圧縮機と、前記ホット／コールド切替室用圧縮機と前記室内熱交換器と前記ホット／コールド切替室用膨張機構と前記室外熱交換器とを環状に接続してなる冷却加温システムを有し、前記室外熱交換器と前記凝縮器を一体型熱交換器で構成するとともに、前記一体型熱交換器を通過した外気を前記蒸発皿に向けて案内するエアガイドを設けたことにより、前記コールド室用圧縮機に直に風が当たるのを回避し、特に結露水が大量に発生する夏場の全室コールド設定において、一体型熱交換器の廃熱を前記蒸発皿の前記結露水の蒸発に利用するので、蒸発性能が向上する。
【００１９】
（実施の形態１）
図１は本発明の実施の形態１における自動販売機の冷媒回路図である。図２は本発明の実施の形態１における自動販売機の機械室の平面図である。図３は本発明の実施の形態１における自動販売機の蒸発皿及び室外熱交換器の正面図である。図４は本発明の実施の形態１における自動販売機の機械室の平面図である。図５は本発明の実施の形態１における自動販売機の機械室の平面図である。
【００２０】
図１、図２に示すように、本発明の自動販売機は、ホット／コールド切替室２１、第二のホット／コールド切替室２２、コールド専用室２３からなる貯蔵室を備え、ホット／コールド切替室２１内に設置された室内熱交換器２４、第二のホット／コールド切替室２２内に設置された蒸発器２５、コールド専用室２３内に設置された第二の蒸発器２６、貯蔵室の外に設置された室外熱交換器２７、圧縮機２８で構成された冷却加温システムを有する。
【００２１】
また、膨張弁Ａ２９、膨張弁Ｂ３０、膨張弁Ｃ３１はそれぞれ通過する冷媒の圧力を低下するとともに閉塞機能を有したものであり、開閉弁Ａ３２、開閉弁Ｂ３３、開閉弁Ｃ３４、開閉弁Ｄ３５はそれぞれ冷媒の流れの有無を制御するものである。
【００２２】
また、冷却ファン３６は冷却加温システムに連動して駆動し、室外熱交換器２７と圧縮機２８を冷却するものである。
【００２３】
また、自動販売機の本体ケースの下部かつ商品収納室の下方に、前面板に開口部を有する機械室を区画形成し、そこに冷却加温システムの室外ユニット３７を設置している。室外ユニット３７は機械室の開口部に面して室外熱交換器２７、次いで後方へ一列に室外熱交換器２７の冷却ファン３６、エアガイド３８、圧縮機２８が配設される。そして、蒸発皿３９は室外ユニット３７の傍に設置されている。
【００２４】
さらに、ホット／コールド切替室２１内にはヒータ４０、第二のホット／コールド切替室２２内には第二のヒータ４１が備えられている。
【００２５】
以上のように構成された自動販売機について、以下その動作、作用を説明する。
【００２６】
まず、ホット／コールド切替室２１を冷却する場合、開閉弁Ａ３２と開閉弁Ｄ３５を開とし、開閉弁Ｂ３３と開閉弁Ｃ３４を閉として、圧縮機２８および冷却ファン３６を駆動する。圧縮機３８から吐出された冷媒は、室外熱交換器２７で凝縮された後、それぞれ膨張弁Ａ２９、膨張弁Ｂ３０、膨張弁Ｃ３１で減圧されて、室内熱交換器２４、蒸発器２５、第二の蒸発器２６で蒸発した冷媒が圧縮機２８へ還流する。
【００２７】
このとき、ホット／コールド切替室２１、第二のホット／コールド切替室２２、コールド専用室２３の内所定の温度に達した貯蔵室は、当該する膨張弁Ａ２９、膨張弁Ｂ３０、膨張弁Ｃ３１を閉塞して冷媒の供給を停止する。さらに、すべての貯蔵室が所定の温度に達すると圧縮機２８の運転を停止する。
【００２８】
次に、ホット／コールド切替室２１を加温する場合、開閉弁Ａ３２と開閉弁Ｄ３５および膨張弁Ａ２９を閉とし、開閉弁Ｂ３３と開閉弁Ｃ３４を開として、圧縮機２８および冷却ファン３６を駆動する。圧縮機２８から吐出された冷媒は、室内熱交換器２４で一部が凝縮し、再度室外熱交換器２７で凝縮された後、それぞれ膨張弁Ｂ３０、膨張弁Ｃ３１で減圧されて、蒸発器２５、第二の蒸発器２６へ供給される。そして、蒸発器２５、第二の蒸発器２６で蒸発した冷媒が圧縮機８へ還流する。
【００２９】
また、第二のホット／コールド切替室２２、コールド専用室２３の内、所定の温度に達した貯蔵室は、当該する膨張弁Ｂ３０、膨張弁Ｃ３１を閉塞して冷媒の供給を停止する。さらに、すべての貯蔵室が所定の温度に達すると圧縮機２８の運転を停止する。
【００３０】
このように、第二のホット／コールド切替室２２およびコールド専用室２３を冷却する際に生じる冷媒の凝縮廃熱を用いて、ホット／コールド切替室２１を効率よく加温することができるので、ヒータ４０などの別の加熱手段を用いてホット／コールド切替室２１を加温する場合に比べて、消費電力量を削減することができる。また、第二のホット／コールド切替室の加温には、第二のヒータ４１が使用される。
【００３１】
また、冷却ファン３６によって機械室前面の開口部から取り入れられた外気は、室外熱交換器２７を冷却した後、エアガイド３８に案内されて蒸発皿３９へと導かれ、結露水の蒸発促進作用を増大させる。また、冷却ファン３６からの風は、エアガイド３８が障壁となって圧縮機２８には当たらない。
【００３２】
ここで、圧縮機２８に風を当てると、圧縮機２８が冷却されてシェル温度が低下し、圧縮機２８のシェル内部に溜めている潤滑油中に、多量の冷媒が溶け込むため、冷凍サイクル中を循環する冷媒量が不足し、能力が低下してしまう。
【００３３】
以上のように、本実施の形態においては、冷却ファン３６によって室外熱交換器２７を通過した外気を蒸発皿３９に向けて案内するエアガイド３８を設けると共に、エアガイド３８が障壁となって圧縮機２８に冷却ファン３６からの風が当たらないようにしたものであり、冷却ファン３６からの風の一部ではなく全風量を蒸発皿３９へと導き、蒸発をより一層促進させると共に、圧縮機２８に冷却ファン３６からの風が当たらないようにして、冷やし過ぎによる効率低下を防止する。
【００３４】
また、本実施の形態において、図３に示すように、機械室の底部に蒸発皿３９を配設し、結露水を吸い上げるろ紙４２を蒸発皿３９の上方に立てて冷却ファン３６からの風を当てることにより、結露水を蒸発させるろ紙４２の面積が大きくなるので、蒸発作用をより一層促進させることができる。
【００３５】
また、本実施の形態において、図４に示すように、ＨＣ冷媒を使用し、庫内の結露水を貯留蒸発させる蒸発皿３９と、蒸発皿３９と反対側の位置に通気孔４３を設けたエアガイド３８とを備え、エアガイド３８の通気孔４３の高さを蒸発皿３９よりも低くしたことにより、蒸発皿３９のろ紙４２からの蒸発に寄与しない風を空気よりも重いＨＣの拡散に利用するため、漏洩等によりＨＣ冷媒が機械室に滞留するのを未然に防止できる。
【００３６】
また、本実施の形態において、図５に示すように、蒸発皿３９の底部にヒータ４４を設けることにより、大量の結露水が発生すると予測される高湿度，高外気温時にヒータ４４に通電し、蒸発皿３９での結露水の蒸発促進能力を増大させるので、結露水が溢れるのを防止することができる。
【００３７】
尚、本実施の形態では、複数の商品収納室の冷却と加温を１つの冷却加温システムで実現する場合について説明したが、複数の商品収納室の冷却を１つの冷却システムで行う場合でも同様の効果が得られる。この場合、加温はヒータで行う。
【００３８】
（実施の形態２）
図６は本発明の実施の形態２における自動販売機の冷媒回路図である。図７は本発明の実施の形態２における自動販売機の機械室の平面図である。
【００３９】
図６、図７において、本発明の自動販売機は、ホット／コールド切替室２１、コールド専用室２０、第二のコールド専用室２３からなる貯蔵室を備え、圧縮機４５、ホット／コールド切替室２１内に設置された室内熱交換器２４、貯蔵室の外に設置された室外熱交換器、冷却時と加温時に冷媒流路を切り替える四方切替弁４７、膨張機構としての冷却用キャピラリチューブ４８、加温用キャピラリチューブ４９、ドライヤ５０からなり、ホット／コールド切替室２１の冷却と加温を専用に行う冷却加温システム４６を有するとともに、圧縮機５２、コールド専用室２０内に設置された蒸発器２５、第二のコールド専用室２３内に設置された第二の蒸発器２６、膨張弁５３、第二の膨張弁５４、凝縮器からなり、コールド専用室２０と第二のコールド専用室２３を専用に冷却する冷却システム５１を有する。
【００４０】
また、冷却加温システム４６の構成要素である室外熱交換器を冷却システム５１の構成要素である凝縮器と一体化した熱交換器を備えたもので、コールド室用圧縮機５２と、ホット／コールド切替室用圧縮機４５を覆う断熱カバー５６と、一体型熱交換器５５を空冷する冷却ファン３６と、庫内の結露水を一旦溜めて蒸発させる蒸発皿３９と、蒸発皿３９と反対側の位置に通気孔４３を設けたエアガイド３９を機械室に配設したものである。
【００４１】
以上のように構成された自動販売機について、以下その動作、作用を説明する。
【００４２】
まず、ホット／コールド切替室２１を冷却する場合、図６において点線矢印で示したように、圧縮機４５から吐出された冷媒は四方切替弁４７で流路を切り替えて一体型熱交換器５５へ供給されて凝縮液化する。一体型熱交換器５５から出た液冷媒はドライヤ５０に供給される。この液冷媒の温度は一体型熱交換器とほぼ同じ３０〜４０℃となる。このとき、ドライヤ５０内部に液冷媒が滞留するとともに、液冷媒中の水分が除去される。
【００４３】
そして、ドライヤ５０から出た液冷媒は逆止弁を経て冷却用キャピラリチューブ４８で減圧されて室内熱交換器２４へ供給されて蒸発気化し、ガス冷媒は再び四方切替弁４７を経て圧縮機４５へ還流する。室内熱交換器２４の蒸発温度は収納室の設定温度により大きく変化する。一般に缶飲料などを冷却する場合は設定温度が５〜１０℃であり、室内熱交換器２４の蒸発温度は−１５〜−５℃となる。
【００４４】
なお、冷却用キャピラリチューブ４８と室内熱交換器２４の冷却時の出口配管とを、接触させて設置する方が望ましく、熱交換させることにより過冷却が大きく取れ、冷却能力が向上する。
【００４５】
また、ホット／コールド切替室２１を加温する場合、図６において実線矢印で示したように、圧縮機４５から吐出された冷媒は四方切替弁４７で流路を切り替えて室内熱交換器２４に供給されて凝縮液化する。この液冷媒の温度は収納室の設定温度により大きく変化する。一般に缶飲料などを加温する場合は設定温度が５０〜６０℃であり、室内熱交換器２４の凝縮温度は６０〜８０℃となる。
【００４６】
なお、圧縮機４５から室内熱交換器２４へ向かう加温用冷媒配管は、断熱材で覆う方が望ましく、加温用冷媒配管からの放熱を防ぐことにより、加温能力と加温効率を向上させることができる。
【００４７】
そして、室内熱交換器２４から出た液冷媒は直ぐに加温用キャピラリチューブ４９で減圧された後、逆止弁を経て一体型熱交換器５５へ供給されて蒸発気化し、ガス冷媒は再び四方切替弁４７を経て圧縮機４５へ還流する。
【００４８】
次にコールド専用室２０，第二のコールド専用室２３を冷却する場合、図６において点線矢印で示したように、圧縮機５２から吐出された冷媒は一体型熱交換器５５へ供給されて凝縮液化する。一体型熱交換器５５から出た液冷媒は二手に分流してそれぞれ膨張弁５３、第二の膨張弁５４で減圧された後、蒸発器２５、第二の蒸発器２６へ供給されて蒸発気化し、コールド専用室２０，第二のコールド専用室２３を冷却する。しかる後、ガス冷媒は再び合流して圧縮機５２へ還流する。
【００４９】
また、一体型熱交換器５５は、２パスのフィンチューブ熱交換器で構成され、一方のパスは冷却加温システム４６と連結し、加温時は蒸発器として、冷却時は凝縮器として作用し、他方のパスは冷却システム５１と連結し、凝縮器として作用する。
【００５０】
ここで、一体型熱交換器５５は、冷却システム５１が稼動すると、冷却システム５１と連結しているパスは凝縮器として作用し、パス周辺のフィン温度は高温になる。そのため、冷却加温システム４６と冷却システム５１が同時に稼動した場合には、フィンを介してカスケード熱交換することができるとともに、凝縮器により暖められた大気を蒸発器に吸込ませることができ、０〜１０℃の高温の蒸発温度で冷却加温システム４６を稼動することが可能となる。これにより、凝縮温度６０〜８０℃の厳しい加温条件においても圧縮比を低減でき、圧縮機４５の効率向上が図れる。また冷却システム５１においても凝縮温度が下がることにより、圧縮機５２の効率向上が図れる。
【００５１】
また、圧縮機４５は断熱カバー５６で覆われており、冷却ファン３６からの風が遮断されるため、圧縮機４５のシェル温度を高く維持することができ、加温効率が向上する。
【００５２】
そして、エアガイド３８の通気孔４３を蒸発皿３９とは反対側に、かつ、蒸発皿３９よりも低い位置に設けたことにより、コールド室用圧縮機５２に直に風が当たるのを回避すると共に、漏洩等によりＨＣ冷媒が機械室に滞留するのを未然に防止できる。
【００５３】
以上のように、本実施の形態においては、コールド室用圧縮機５２と、ホット／コールド切替室用圧縮機４５を覆う断熱カバー５６と、室外熱交換器と凝縮器を一体化した一体型熱交換器５５を空冷する冷却ファン３６と、庫内の結露水を一旦溜めて蒸発させる蒸発皿３９とを機械室に配設し、蒸発皿３９と反対側の位置に通気孔４３を設けたエアガイド３８を備え、ホット／コールド切替室用圧縮機４５の周辺に風を供給することにより、コールド室用圧縮機５２に直に風が当たるのを回避し、ホット／コールド切替室用圧縮機４５周辺に、ＨＣ冷媒が滞留するのを防止すると共に、室外熱交換器と一体化した凝縮器の廃熱を蒸発皿３９の結露水の蒸発に利用するので、蒸発性能が向上する。
【産業上の利用可能性】
【００５４】
以上のように、本発明にかかる自動販売機は、ファンからの全風量を蒸発皿へと導くエアガイドを設け、圧縮機には風を当てないので、ホット飲料とコールド飲料を切替て保存するショーケースなどの加温および冷却時の省エネルギー化が要求される用途にも適用できる。
【図面の簡単な説明】
【００５５】
【図１】本発明の実施の形態１における自動販売機の冷媒回路図
【図２】本発明の実施の形態１における自動販売機の機械室の平面図
【図３】本発明の実施の形態１における自動販売機の蒸発皿及び室外熱交換器の正面図
【図４】本発明の実施の形態１における自動販売機の機械室の平面図
【図５】本発明の実施の形態１における自動販売機の機械室の平面図
【図６】本発明の実施の形態２における自動販売機の冷媒回路図
【図７】本発明の実施の形態２における自動販売機の機械室の平面図
【図８】従来の自動販売機のドレン処理装置及び凝縮ユニットの平面図
【符号の説明】
【００５６】
２０  コールド専用室
２１  ホット／コールド切替室
２２  第二のホット／コールド切替室
２３  コールド専用室
２４  室内熱交換器
２５  蒸発器
２６  第二の蒸発器
２７  室外熱交換器
２８  圧縮機
２９  膨張弁Ａ
３０  膨張弁Ｂ
３１  膨張弁Ｃ
３６  冷却ファン
３７  室外ユニット
３８  エアガイド
３９  蒸発皿
４２  ろ紙
４３  通気孔
４４  ヒータ
４５  圧縮機
４６  冷却加温システム
４７  四方切替弁
４８  冷却用キャピラリチューブ
４９  加温用キャピラリチューブ
５１  冷却システム
５２  圧縮機
５３  膨張弁
５４  第二の膨張弁
５５  一体型熱交換器
５６  断熱カバー
【図１】
0004513707.tif 000002
【図２】
0004513707.tif 000003
【図３】
0004513707.tif 000004
【図４】
0004513707.tif 000005
【図５】
0004513707.tif 000006
【図６】
0004513707.tif 000007
【図７】
0004513707.tif 000008
【図８】
0004513707.tif 000009